(57)【要約】【課題】  流量調整弁の締め切り制御により出湯を停止させる給湯器を用いた連結給湯システムにおいて、出湯温度や再出湯特性に悪影響を与えることのない連結給湯システムを提供する。  【解決手段】  パルスモータを駆動手段とする流量調整弁１２，１３を締め切り制御することによって出湯を停止できるようにした給湯器１を用いた連結給湯システムにおいて、各給湯器１に上記パルスモータのポジションリセットを行う基準位置初期化手段を設ける。そして、上記基準位置初期化手段によるポジションリセットを行うタイミングを、各給湯器１を集約的に制御する集中制御コントローラ１００から与えることにより、一の給湯器１が給湯動作中またはポジションリセット処理中に他の給湯器でポジションリセットが行われないようにする。【選択図】  図１
2005098644.tif 000002
【特許請求の範囲】
【請求項１】
並列に接続された複数の給湯器と、これら複数の給湯器を集約的に制御する集中制御コントローラとを備えてなり、前記各給湯器が流量調整弁を備え、該流量調整弁を締め切り制御することにより給湯器からの出湯を停止できるように構成された連結給湯システムにおいて、
前記各給湯器は、流量調整弁の駆動手段としてパルスモータを備えるとともに、該パルスモータの基準位置初期化手段を備えてなり、
前記基準位置初期化手段は、前記集中制御コントローラからの制御信号に基づいて前記パルスモータの基準位置初期化処理を実行するように構成されている
ことを特徴とする連結給湯システム。
【請求項２】
前記集中制御コントローラは、前記各給湯器の全てが給湯停止状態にあることを条件に前記基準位置初期化手段に前記制御信号を与えるように構成されていることを特徴とする請求項１に記載の連結給湯システム。
【請求項３】
前記集中制御コントローラは、前記各給湯器におけるパルスモータの基準位置初期化処理が同時に行われないようにタイミングをずらして各給湯器の基準位置初期化手段に前記制御信号を与えるように構成されていることを特徴とする請求項１または２に記載の連結給湯システム。
【請求項４】
前記集中制御コントローラからの制御信号を受け付けた給湯器は、当該給湯器が所定の条件を満たしているときに前記基準位置初期化処理を実行するように構成されていることを特徴とする請求項１から請求項３のいずれかに記載の連結給湯システム。
【請求項５】
前記流量調整弁は、前記給湯器の熱交換缶体への通水流量を制御する缶体流量調整弁と、前記熱交換缶体をバイパスするバイパス配管の通水流量を制御するバイパス流量調整弁とからなることを特徴とする請求項１から４のいずれかに記載の連結給湯システム。
【発明の詳細な説明】
【技術分野】
【０００１】
この発明は連結給湯システムに関し、より詳細には、流量調整弁を締め切り制御することにより出湯を停止できるように構成された給湯器を複数並列的に接続してなる給湯システムにおける流量調整弁の位置調整技術に関する。
【背景技術】
【０００２】
従来から見かけ上の給湯能力を大きくするために複数の給湯器を並列的に接続してなる連結給湯システムが提案されている。連結給湯システムは、個々の給湯器を集約的に制御する集中制御コントローラを設け、集中制御コントローラを通じて個々の給湯器のコントローラに制御信号（具体的には給湯開始許可や給湯停止の指令等）を与えることにより、要求通水量（給湯栓からの出湯流量）や要求号数（給湯に必要な給湯能力）に応じて給湯動作を行う給湯器の台数を増減させるように構成される（たとえば、特許文献１参照）。
【０００３】
ところで、この種の連結給湯システムに用いられる給湯器としては、給湯器の出湯側管路に開閉弁を設け、この開閉弁を開閉制御することによって個々の給湯器の出湯／停止（動作台数）を切り替えていたが、このように開閉弁を設ける構成では個々の給湯器のコスト増を招くので、最近では給湯器内の流量調整弁を締め切り（全閉）制御して給湯器内の通水路を遮断することによって出湯を停止させるように構成したものが提案されている。
【０００４】
【特許文献１】特開平５−１８０５１６号公報
【発明の開示】
【発明が解決しようとする課題】
【０００５】
しかしながら、このような流量調整弁の締め切り制御によって出湯を停止させる構成の給湯器を連結給湯システムに適用するには以下のような問題があり、その改善が望まれていた。
【０００６】
すなわち、流量調整弁は弁開度を調整することで通水量を制御するものであるが、この種の流量調整弁では弁体の駆動手段としてパルスモータ（ステッピングモータ）を用いているので、ステッピングモータの駆動中にスルートルクを超える負荷が加えられたり、停止中に保持トルクを超える負荷が加えられるなどした場合に脱調や位置ずれを引き起こす。そのため、この種の流量調整弁では適時にステッピングモータのポジションリセット（基準位置初期化）を行う必要がある。
【０００７】
この点、給湯器を単独で用いる場合、従来は、給湯器が動作停止状態（給湯停止状態）にあるときに給湯器のコントローラからステッピングモータに所定の制御信号（たとえば、弁体を全開にする制御信号）を与えて、これを全開リミッタで検出し、その際の検出した位置を基準位置とすることによって基準位置の初期化を行っていた。
【０００８】
しかしながら、給湯器を並列的に接続する連結給湯システムでは、他の給湯器が動作中（給湯動作中）に一の給湯器において上述した基準位置の初期化が行われると、当該一の給湯器の流量調整弁が全開となって通水を生じ、給湯動作中の他の給湯器による出湯温度に影響を与え、連結給湯システムとして安定した給湯を行えなくなるという問題がある。
【０００９】
また、全ての給湯器が給湯停止状態にある場合でも、複数の給湯器が同時に基準位置の初期化動作を行うと、たとえば、この初期化動作中にカラン等の給湯栓が開栓されても各給湯器には最低作動通水量（ＭＯＱ）を超える通水が生じずに温水が出湯されないという事態が生じ得、再出湯特性に悪影響を与えるといった問題もある。
【００１０】
本発明は、かかる従来の問題点に鑑みてなされたものであって、流量調整弁の締め切り制御により出湯を停止させる給湯器を用いた連結給湯システムにおいて、出湯温度や再出湯特性に悪影響を与えることのない連結給湯システムを提供することを目的とする。
【課題を解決するための手段】
【００１１】
上記目的を達成するため、本発明に係る連結給湯システムは、並列に接続された複数の給湯器と、これら複数の給湯器を集約的に制御する集中制御コントローラとを備えてなり、前記各給湯器が流量調整弁を備え、該流量調整弁を締め切り制御することにより給湯器からの出湯を停止できるように構成された連結給湯システムにおいて、前記各給湯器は、流量調整弁の駆動手段としてパルスモータを備えるとともに、該パルスモータの基準位置初期化手段を備えてなり、前記基準位置初期化手段は、前記集中制御コントローラからの制御信号に基づいて前記パルスモータの基準位置初期化処理を実行するように構成されていることを特徴とする。
【００１２】
そして、その好適な実施態様として、前記集中制御コントローラは、前記各給湯器の全てが給湯停止状態にあることを条件に前記基準位置初期化手段に前記制御信号を与えるように構成されていることを特徴とする。
【００１３】
また、他の好適な実施態様として、前記集中制御コントローラは、前記各給湯器におけるパルスモータの基準位置初期化処理が同時に行われないようにタイミングをずらして各給湯器の基準位置初期化手段に前記制御信号を与えるように構成されていることを特徴とする。
【００１４】
一方、前記集中制御コントローラからの制御信号を受け付けた給湯器は、当該給湯器が所定の条件を満たしているときに前記基準位置初期化処理を実行するように構成されていることを特徴とする。
【００１５】
そして、本発明の連結給湯システムに用いる給湯器の前記流量調整弁は、前記給湯器の熱交換缶体への通水流量を制御する缶体流量調整弁と、前記熱交換缶体をバイパスするバイパス配管の通水流量を制御するバイパス流量調整弁とからなることを特徴とする。
【発明の効果】
【００１６】
本発明の連結給湯システムによれば、各給湯器が流量調整弁のパルスモータの基準位置初期化手段を備え、この基準位置初期化手段が、集中制御コントローラからの制御信号に基づいてパルスモータの基準位置初期化処理を実行するように構成されていることから、出湯温度や再出湯特性等に悪影響を与えないタイミングで各給湯器に基準位置初期化処理を行わせることができる。
【００１７】
具体的には、上記集中制御コントローラが、各給湯器の全てが給湯停止状態にあることを条件に基準位置初期化手段に上記制御信号を与えるように構成されることにより、他の給湯器が給湯動作中にいずれかの給湯器において基準位置初期化処理が実行されるのを防止でき、出湯温度に乱れのない安定した出湯温度特性の給湯システムを提供することができる。
【００１８】
また、上記集中制御コントローラが、給湯器に基準位置初期化処理を行わせるにあたり、上記各給湯器における基準位置初期化処理が同時に行われないようにタイミングをずらして各給湯器に上記制御信号を与えるように構成されることにより、複数の給湯器において基準位置初期化処理が同時に行われるのを防止でき、再出湯特性に優れた給湯システムを提供することができる。
【００１９】
また、集中制御コントローラからの制御信号を受け付けた給湯器が所定の条件を満たしているときに上記基準位置初期化処理を実行するように構成されることにより、たとえば、この条件を「給湯運転がなされたこと」や「ＭＯＱがＯＮしたこと」とすることで、流量調整弁が作動していない給湯器について基準位置初期化処理が実行されるのを防止することができる。
【発明を実施するための最良の形態】
【００２０】
以下、本発明の一実施形態を図面に基づいて詳細に説明する。
【００２１】
図１は本発明に係る連結給湯システムの概略構成の一例を示している。図示の連結給湯システムは、複数（図示例では６台）の給湯器１を並列に接続することにより構成されている。なお、以下では説明の便宜上、各給湯器には１号機、２号機、３号機の順でそれぞれ符号の末尾にａ〜ｆの記号を付す。また、各給湯器１ａ〜１ｆに共通の部材について他の給湯器の同部材と区別が必要な場合には符号の末尾にａ〜ｆの記号を付すものとし、その他の場合はａ〜ｆの記号は省略する。
【００２２】
上記連結給湯システムは、管端が水源に接続された給水管２と、管端がカランやシャワー等の給湯栓（図示せず）に接続された出湯管３との間に、給水管２を給湯器１の入水口に接続するための給水側分岐配管４と、出湯管３を給湯器１の出湯口に接続するための出湯側の分岐配管５とが配設されている。
【００２３】
給湯器１は、その内部に後述する流量調整弁を備えて、この流量調整弁を締め切り制御することにより給湯器１からの出湯を停止させることができるように構成された、いわゆる電磁弁レスタイプの給湯器であって、本実施形態では、ガスを燃料とするバーナ（図示せず）を備えたガス給湯器で構成される。
【００２４】
具体的には、この給湯器１は、図示のように、上記バーナや温水生成用の熱交換機（図示せず）を備えた熱交換缶体１１を備えてなり、この熱交換缶体１１に上記給水側分岐配管４と出湯側分岐配管５とが接続され、さらに、これら給水側分岐配管４と出湯側分岐配管５には上記熱交換缶体１１をバイパスするバイパス配管６が設けられている。
【００２５】
そして、上記流量調整弁として、上記熱交換缶体１１の出力（出湯）側に熱交換缶体１１への通水流量を制御する缶体流量調整弁１２と、上記バイパス配管６にその通水流量を制御するバイパス流量調整弁１３とが設けられている。つまり、缶体流量調整弁１２とバイパス流量調整弁１３の双方を締め切り（閉弁）制御することにより給湯器１からの出湯を停止させることができるように構成されている。なお、本実施形態では上記熱交換缶体１１への通水流量を制御する缶体流量調整弁１２を熱交換缶体１１の出力側に設ける場合を示したが、この缶体流量調整弁１２は熱交換缶体１１の入力（入水）側に設けられていてもよい。
【００２６】
ここで、上記流量調整弁の構造について簡単に説明する。上記缶体流量調整弁１２およびバイパス流量調整弁１３は、いずれもその駆動手段として図示しないパルスモータ（ステッピングモータ）を備えて構成されている。つまり、これら流量調整弁１２，１３の弁開度の設定は上記ステッピングモータのステップ数によって決定される。なお、これらステッピングモータのステップ数は、後述するコントローラ１０からの制御信号によって制御可能とされている。
【００２７】
コントローラ１０は、給湯器１の各部の動作を制御するコントローラ（制御装置）であって、具体的には、図示しない点火装置、燃料制御弁、能力切替弁といった燃焼系統や、上記缶体流量調整弁１２、バイパス流量調整弁１３といった水回り系統の器具の制御を行う他、リモートコントローラなどの制御機器との間で制御信号等の各種信号の送受信を行うための通信機能を備えている。特に、本発明のような連結給湯システムにおいては、各給湯器１のコントローラ１０は、これら各給湯器を集約的に制御するシステムコントローラ（集中制御コントローラ）１００と電気的に接続され、システムコントローラ１００との間で制御信号等の各種信号の送受信を行うように構成されている。
【００２８】
この他、上記給湯器１の内部には、特に図示しないが入水温度を検出する入水温度センサ、出湯温度を検出する出湯温度センサ、缶体流量を検出する缶体流量センサ、バイパス流量を検出するバイパス流量センサ、上記バーナへの点火の有無を検出する炎検出センサ等の各種センサが搭載されており、これらセンサの検出信号がコントローラ１０に入力されている。コントローラ１０は、これらの検出信号やシステムコントローラ１００からの制御信号等に基づいて給湯器１の各部の動作を制御し、また、システムコントローラ１００に対して給湯器１の動作状況などを制御データ等として送信する。
【００２９】
システムコントローラ１００は、上述したように、複数の給湯器を集中制御するための制御装置であって、図示しないが後述する各種処理を実行するためのプログラムを搭載したマイクロコンピュータと、データ等を一時的に記憶する記憶装置とを備えて構成される。そして、本実施形態では、このシステムコントローラ１００には通信線Ｓを介して６台の給湯器１ａ〜１ｆが接続されている。また、本実施形態では、このシステムコントローラ１００には、運転スイッチ等の各種操作スイッチを備えたリモートコントローラＲＣが接続されている。
【００３０】
ところで、このシステムコントローラ１００は、上述したように、個々の給湯器１のコントローラ１０と通信しながら個々の給湯器１の動作状況を監視しつつ要求通水量や要求号数に応じて個々の給湯器１のコントローラ１０に給湯開始許可（具体的には、上記缶体流量調整弁１２およびバイパス流量調整弁１３に開弁指示）や給湯停止（具体的には、上記缶体流量調整弁１２およびバイパス流量調整弁１３に閉弁指示）の制御信号を与えることにより、給湯動作（燃焼運転）を行う給湯器１の台数を増減させるようにプログラムされている。
【００３１】
つまり、リモートコントローラＲＣの操作などによってシステムが運転待機状態（たとえば、運転スイッチがオン）になると、システムコントローラ１００は、まず一台目の給湯器１ａ（具体的にはコントローラ１０ａ）に対して缶体流量調整弁１２ａおよびバイパス流量調整弁１３ａの開弁を指示し一台目の給湯器１ａを給湯待機状態に移行させる。これにより、この状態で給湯栓が開栓され、給湯器１ａに最低作動通水量（ＭＯＱ）を超える通水があるとコントローラ１０ａが燃焼制御を開始し、給湯器１ａが給湯動作を開始する。つまり、給湯栓から給湯設定温度での出湯が開始される。
【００３２】
そして、給湯栓からの出湯流量の増加や給湯設定温度の上昇などによって給湯器１ａだけで所望の出湯が確保できなくなると、システムコントローラ１００は、二台目の給湯器１ｂに対して缶体流量調整弁１２ｂおよびバイパス流量調整弁１３ｂの開弁を指示し、二台目の給湯器１ｂを通水可能な状態にして、二台目の給湯器１ｂにも給湯動作を行わせる。以下、出湯流量の増加や給湯設定温度の上昇に伴って順次三台目以降の給湯器１に缶体流量調整弁１２およびバイパス流量調整弁１３の開弁を指示する。
【００３３】
また、反対に出湯流量の減少や給湯設定温度が下方修正されるなどして給湯動作中の給湯器１が余剰になると、余剰の給湯器（たとえば、最後に給湯動作を開始した給湯器１ｃ）に対して缶体流量調整弁１２ｃおよびバイパス流量調整弁１３ｃの閉弁（締め切り制御）を指示し、給湯器１ｃへの通水を遮断する。これにより、給湯器１ｃへの通水がなくなるので、給湯器１ｃは給湯停止状態となる。以下、出湯流量の減少や給湯設定温度の下方修正に応じて順次給湯器１に缶体流量調整弁１２およびバイパス流量調整弁１３の閉弁を指示する。
【００３４】
このようにシステムコントローラ１００は、燃焼運転を行う給湯器１の台数をコントロールしながら、要求通水量や要求号数に応じて各給湯器１に給湯開始許可や給湯停止の制御信号を与えるように構成される。
【００３５】
そこで、次に、このように構成された連結給湯システムにおける流量調整弁のポジションリセット（基準位置初期化）について、図２および図３に基づいて説明する。図２は、システムコントローラ側の手順の一例を示しており、また、図３は給湯器側の手順の一例を示している。
【００３６】
給湯器１のポジションリセット処理を行うにあたり、システムコントローラ１００側は、まず、各給湯器１と通信を行い、その結果に基づいて給湯器１の使用台数、つまり給湯運転中の給湯器１の台数が「０」か否かを判断する（図２ステップＳ１参照）。これは、給湯運転中の給湯器１が一台でもあれば、その状態で他の給湯器１でポジションリセットを行うと給湯栓からの出湯温度が影響を受けるため、給湯運転中の給湯器１がないこと（換言すれば、全ての給湯器が給湯停止状態にあること）を確認するためである。
【００３７】
上記図２ステップＳ１の判断で使用台数が「０」でない、つまり１台以上の給湯器１が給湯運転を行っている場合には、システムコントローラ１００は、いずれの給湯器１においてもポジションリセットを行ってはいけないと判断して、各給湯器１に対してポジションリセット禁止を命ずる制御信号を送信する（図２ステップＳ２参照）。
【００３８】
一方、上記図２ステップＳ１の判断で使用台数が「０」と判断された場合には、システムコントローラ１００は、各給湯器１に対してポジションリセットの実行を許可する旨の制御信号を送信する（図２ステップＳ３参照）。
【００３９】
ここで、このポジションリセットの許可について詳しく説明すると、上述したように、連結給湯システムでは複数の給湯器１が同時にポジションリセットを行うと給湯栓を開栓しても温水が出湯されないなど再出湯特性が悪くなるので、そのような再出湯特性の低下を防止するために、本実施形態では、このポジションリセットの許可は、複数の給湯器でポジションリセットが同時に行われないようにタイミングをずらして一台ずつ順に行われるように設定される。
【００４０】
つまり、システムコントローラ１００は、一台目の給湯器１にポジションリセットの許可を与えると、一台目の給湯器１からポジションリセット処理が完了した旨の通信があるのを待って二台目の給湯器１にポジションリセットの許可を与えるといったように、ポジションリセットの完了を待って次の給湯器１にポジションリセットの許可を与えるように構成される。
【００４１】
なお、本実施形態では、ポジションリセットの許可を一台ずつ与えるように構成したが、再出湯特性に悪影響を与えないのであれば、２台または３台といった複数台単位でポジションリセットの許可を与えるように構成することも可能である。また、本実施形態では、ポジションリセット処理が完了した旨の通信を待って次の給湯器にポジションリセットの許可を与えるように構成したが、このような通信によらずに、一の給湯器にポジションリセットの許可を与えてから一定時間経過を待って次の給湯器にポジションリセットの許可を与えるように構成することも可能である。
【００４２】
これに対して各給湯器１側では以下のような処理が実行される。すなわち、給湯器１側では、コントローラ１０は、ＭＯＱがＯＮしたか否かを判断し（図３ステップＳ１参照）、ＭＯＱがＯＮすればポジションリセット要求をＯＮにする（図３ステップＳ２参照）。
【００４３】
これは、ＭＯＱがＯＮ、つまり給湯器１に最低作動通水量以上の通水があれば、上記缶体流量調整弁１２およびバイパス流量調整弁１３の双方が作動するので、ステッピングモータに脱調や位置ずれなどが発生するおそれがあるので、この状態をとらえてポジションリセットの要求を行わせるものである。したがって、このポジションリセットの要求は、ステッピングモータに脱調や位置ずれを生じるおそれがある事態をとらえて行うものであればよく、たとえばコントローラ１０にステッピングモータの駆動手段を監視させておき、ステッピングモータの駆動を条件にポジションリセットの要求をＯＮにするなど他の方法で行うこともできる。なお、ポジションリセットの要求は、後述するポジションリセット処理が実行されるまでコントローラ１０内に記憶される。
【００４４】
そして、図３ステップＳ１の判断が否定的、つまり、最低作動通水量以上の通水がなければ（たとえば通水量が最低作動通水量を下回って給湯運転が停止した場合には）、コントローラ１０はポジションリセットの要求があるか否かを判断し（図３ステップＳ３参照）、ポジションリセットの要求があれば、次のステップに移行してシステムコントローラ１００からポジションリセットの許可が与えられているか否かを判断する（図３ステップＳ４参照）。そして、ポジションリセットの許可がある場合には、続く図３ステップＳ５に移行してポジションリセット処理を実行し、一連の処理を終了する。
【００４５】
ここで、図３ステップＳ５で行われるポジションリセット処理は、コントローラ１０からステッピングモータに所定の制御信号（具体的には、弁体を全開にさせる制御信号）を与えて、これを全開リミッタで検出し、その際の検出した位置を基準位置とするというもので、従来、給湯器単独で使用される場合に行われていたポジションリセットと同様である。また、このポジションリセットは、上記缶体流量調整弁１２およびバイパス流量調整弁１３に対して、それぞれ順番に行ってもよいが、双方同時に行うことも可能である。
【００４６】
一方、図３ステップＳ３およびステップＳ４における判断が否定的な場合、つまり、給湯停止状態であるにもかかわらず、ポジションリセット要求がない、またはポジションリセット許可がない場合は、すでにポジションリセット処理が完了し、給湯停止状態が継続していると判断できるので、ポジションリセットを行わず処理を終了する。
【００４７】
なお、上述した実施形態では、あくまで本発明の好適な実施態様を示すものであって、本発明の範囲内であれば具体的な態様は適宜設計変更可能である。
【００４８】
たとえば、上述した実施形態では、システムコントローラ１００は、給湯器１の使用台数が「０」の時にポジションリセットの許可を与えるように構成した場合を示したが、たとえば、リモートコントローラＲＣの運転スイッチがオフにされた時にポジションリセットの許可を与えるように構成したり、予め設定した所定時刻（たとえば、深夜など通常給湯運転が行われない時刻）になれば自動的にポジションリセットの許可を与えるようにすることができる。また、使用台数が「０」の状態が一定時間継続することを条件とすることもできる。要は給湯器１が給湯停止状態にある（または給湯停止状態にある蓋然性が高い）ことを条件にポジションリセットの許可を与える構成であればその内容は適宜変更可能である。
【００４９】
また、給湯器側の処理においても、上述した実施形態では、ＭＯＱがオフ（図３ステップＳ１の判断が否定的）であれば、続く図３ステップＳ３以降の処理が直ちに行われるように構成したが、ＭＯＱがオフしてから一定時間経過してから図３ステップＳ３からＳ５の処理を行わせるように構成することもできる。
【００５０】
また、上述した実施形態では、システムコントローラ１００側の処理として、給湯器１の使用台数が「０」でなければ各給湯器１にポジションリセットの禁止を指令する（図２ステップＳ２参照）ように構成した場合を示したが、給湯器１側をポジションリセットの許可がなければポジションリセットを行わないように構成しておくことで、ポジションリセットの禁止指令の送信を省略することもできる。
【００５１】
さらに、上述した実施形態では、一台のシステムコントローラ１００で全ての給湯器１ａ〜１ｆを集中制御する場合を示したが、連結する給湯器１が多数になるような場合には、図４に示すように、システムコントローラ１００を階層的に配設することも可能である。つまり、複数のシステムコントローラ１００を階層的に配設し、システム構成上、下位のシステムコントローラ（子シスコン）１００Ｌを上位のシステムコントローラ（親シスコン）１００Ｈで集中制御するように構成することも可能である。その場合、上述したポジションリセット処理に関しては、全ての子シスコン１００Ｌにおいて給湯器１の使用台数が「０」であれば親シスコン１００Ｈから子シスコン１００Ｌにポジションリセットの許可を与え、また、いずれかの子シスコン１００Ｌで給湯器の使用台数が「０」でなければ親シスコン１００Ｈは全ての子シスコン１００Ｌにポジションリセットの禁止を指令するように構成される。
【図面の簡単な説明】
【００５２】
【図１】本発明の連結給湯システムの一例を示す概略構成図である。
【図２】同連結給湯システムにおけるシステムコントローラ側の処理の一例を示すフローチャートである。
【図３】同連結給湯システムにおける給湯器側の処理の一例を示すフローチャートである。
【図４】同連結給湯システムにおいて、システムコントローラを階層的に配設した場合を示す概略構成図である。
【符号の説明】
【００５３】
１              給湯器
２              給水管
３              出湯管
４              給水側分岐配管
５              出湯側分岐配管
６              バイパス配管
１０            給湯器のコントローラ
１１            熱交換缶体
１２            缶体流量調整弁（流量調整弁）
１３            バイパス流量調整弁（流量調整弁）
１００          システムコントローラ（集中制御コントローラ）
【図１】
2005098644.tif 000003
【図２】
2005098644.tif 000004
【図３】
2005098644.tif 000005
【図４】
2005098644.tif 000006